(57)【要約】【課題】安価でかつ簡単な構造で洗浄槽の上部に集合した湿った暖かい空気を、洗浄槽外に効率よく排出できるとともに、吊り戸棚の結露対策として設置条件により排気方向を変更することが可能であり、外観性を損ねることがないとともに、従来と同じ乾燥性能を保つことができる食器洗い機を実現する。【解決手段】洗浄槽１上壁に設けられた排気通路１４と、前記排気通路１４と連通する出口１６と、前記出口１６の近傍に設けられ枠体１０上面に設けた開口部１０ａから機外に臨ませた、前記洗浄槽１内の空気を排気するための排気口１１ａを有する排気口形成部材Ａ１１とを備え、前記排気口形成部材Ａ１１は、前記洗浄槽１に取り付けられるとともに、排気方向が異なる他の排気口形成部材Ｂ２１と交換可能な構成としたものであり、上記課題を解決することができる。【選択図】図１
2010279583.tif 000002
【特許請求の範囲】
【請求項１】
枠体内に設けられ被洗浄物を収容する洗浄槽と、前記被洗浄物を洗浄水の噴射により洗浄する洗浄手段と、前記被洗浄物を加熱させるための加熱手段と、前記洗浄槽に空気を送る送風手段と、前記洗浄槽の上壁に設けられた排気通路と、前記洗浄槽の上壁に設けられ前記排気通路と連通する出口と、前記出口の近傍に設けられ前記枠体上面に設けた開口部から機外に臨ませた、前記洗浄槽内の空気を排気するための排気口を有する排気口形成部材とを備え、前記排気口形成部材は、前記洗浄槽に取り付けられるとともに、排気方向が異なる他の排気口形成部材と交換可能な構成とした食器洗い機。
【請求項２】
洗浄槽の上壁に設けた出口の上方に排気口形成部材を取り付ける排気口形成部材支持部材を備え、前記排気口形成部材は、前記排気口形成部材支持部材の上部開口の縁内に配設した請求項１記載の食器洗い機。
【請求項３】
枠体内に設けられ被洗浄物を収容する洗浄槽と、前記被洗浄物を洗浄水の噴射により洗浄する洗浄手段と、前記被洗浄物を加熱させるための加熱手段と、前記洗浄槽に空気を送る送風手段と、前記洗浄槽の上壁に設けられた排気通路と、前記洗浄槽の上壁に設けられ前記排気通路と連通する出口と、前記出口の近傍に設けられ前記枠体上面に設けた開口部から機外に臨ませた、前記洗浄槽内の空気を排気するための排気口を有する排気口形成部材とを備え、前記排気口形成部材は、左右一対設けた回転軸を前記洗浄槽に設けた軸受け部に係合させることにより、枠体の上面に設けた開口部の縁内に位置させた状態で、食器洗い機の前後方向に回転可能に構成した食器洗い機。
【請求項４】
排気口形成部材の周囲をシールするシール部材を設けるとともに、洗浄槽は、軸受け部を設けた取着面の上端を枠体上面に設けた開口部より上方に突出させた請求項３記載の食器洗い機。
【発明の詳細な説明】
【技術分野】
【０００１】
本発明は、食器等の洗浄および乾燥を行う食器洗い機に関するものである。
【背景技術】
【０００２】
従来、一般家庭で食器等の洗浄および乾燥を行うために用いられる卓上型の食器洗い機は、通常、キッチンスペースの吊り戸棚などの近くに設置されて使用されるが、排気口の向きは食器洗い機、特に洗浄槽によりあらかじめ決定されており、吊り戸棚との位置関係に適宜対応させて変更することができなかった（例えば、特許文献１参照）。
【０００３】
従来のこの種の食器洗い機について、図９〜図１１を用いて説明する。食器洗い機本体内に洗浄槽１を設け、洗浄槽１内に食器類２を出し入れする開口部３を設け、この開口部３に、洗浄槽１の前面のほぼ最上部まで回動自在に開閉する扉体４を配設している。食器類２は洗浄槽１内に設けた食器かご６にセットしている。また、洗浄槽１内の底部には、洗浄水を噴射する洗浄ノズル５を回転自在に配設し、洗浄水と、送風手段８によって送風口９から送風される空気とを加熱するヒータ７を配設している。
【０００４】
送風手段８は、洗浄槽１の外側底部に配設している。洗浄槽１内の空気を排出する排気口１３は、食器洗い機本体の洗浄槽１の上部前面近傍に配設している。また、洗浄槽１に連通した送風手段８および排気口１３により排気を行うよう構成している。
【０００５】
排気口１３と洗浄槽１とを連通する排気通路１４は、図１０および図１１に示すように、洗浄槽１の上面内側の壁面の一部を窪ませて凹部１４ａを形成し、その凹部１４ａにフタ部材１５を取着することにより構成している。なお、排気通路１４の出口１６は排気口１３に連通すると共に、入口１７は洗浄槽１の上面近傍で洗浄槽１内に開口している。
【０００６】
また、排気通路１４の入口１７の位置が出口１６より低くなるようにフタ部材１５の底面１５ａを傾斜させている。フタ部材１５の底面１５ａの傾斜は、傾斜部のみフタ部材１５の断面を凹部にすることによって構成している。なお、フタ部材１５の洗浄槽１との嵌合面のシール部は略水平に形成している。
【０００７】
上記のように構成した食器洗い機について、その動作、作用を説明する。まず、使用者が扉体４を開放し、洗浄槽１内に配置された食器かご６に汚れた食器類２をセットする。つぎに、扉体４を閉め、運転を開始すると、食器洗い機本体１の底部に配置されたヒータ７によって洗浄水が加熱され、その加熱された洗浄水が洗浄ノズル５から食器類２に向かって噴射され、食器類２の汚れを落とす洗浄行程が行なわれる。その後、食器類２をすすぐ、すすぎ行程を行う。
【０００８】
次に、送風手段８を駆動することによって、送風口９から乾いた空気を洗浄槽１内に圧送し、洗浄槽１内の湿った空気が排気口１３より洗浄槽１外に排出され、同時に、ヒータ７によって、空気を加熱し、食器類２の間を通り、食器類２に付着している水滴を蒸発させ、また食器類２を直接加熱する乾燥行程を行い、運転を終了する。
【先行技術文献】
【特許文献】
【０００９】
【特許文献１】特開２００５−２５３５６９号公報
【発明の概要】
【発明が解決しようとする課題】
【００１０】
一般に空気の流れは、流れの抵抗の少なく、圧力の低い方向に流れるので、上記従来の構成では、洗浄槽１の内面の下部に設けた送風口９から洗浄槽１内に圧送された空気は、洗浄槽１の上面近傍の排気通路１４の入口１７へと流れる流れとなる。そのため、暖かい空気は、軽く上方に集合し、湿った空気の多くが洗浄槽１内の上部に集合し、排気口１３は洗浄槽１の上面に設けているため、排気口１３より湿気を多く含んだ空気は洗浄槽１外に排出されるため、洗浄槽１の上部の食器類２、食器かご６、洗浄槽１の内面の上部の壁面の乾きが良くなるが、排気口１３の向きは洗浄槽１により決定されるため、キッチンスペースなどによっては、食器洗い機の上面と吊り戸棚などの距離が狭くなり、食器洗い機の上面や吊り戸棚の底面等が結露しやすくなると課題を有していた。
【００１１】
また、乾燥行程終了後、食器類２を洗浄槽１内に放置した場合、空気は温度が高く、水分を多く含み、軽く上方に集合するため、送風手段８による強制送風がない状態で、食器類２及び洗浄槽１の余熱により加熱された空気は洗浄槽１内の上面に集合する。この場合も、排気通路１４の入口１７付近の湿気を多く含んだ空気が排気通路１４を通り洗浄槽１の外へ排出されるため、洗浄槽１の周囲の雰囲気との温度差によって結露がしやすくなるという課題を有していた。
【００１２】
また、このような構成の食器洗い機は、排気方向によっては、吊り戸棚が結露することもあり、排気方向を変え本体上面に部品を取付けて対応することもあるが、この場合には、食器洗い機の外観を損ねてしまうという課題がある。
【００１３】
本発明は、前記従来の課題を解決するもので、安価でかつ簡単な構造で洗浄槽の上部に集合した湿った暖かい空気を、洗浄槽外に効率よく排出できるとともに、吊り戸棚の結露対策として設置条件により排気方向を変更することが可能であり、外観性を損ねることがないとともに、従来と同じ乾燥性能を保つことができる食器洗い機を提供することを目的とする。
【課題を解決するための手段】
【００１４】
上記課題を解決するために、本発明の食器洗い機は、枠体内に設けられ被洗浄物を収容する洗浄槽と、前記被洗浄物を洗浄水の噴射により洗浄する洗浄手段と、前記被洗浄物を加熱させるための加熱手段と、前記洗浄槽に空気を送る送風手段と、前記洗浄槽の上壁に設けられた排気通路と、前記洗浄槽の上壁に設けられ前記排気通路と連通する出口と、前記出口の近傍に設けられ前記枠体上面に設けた開口部から機外に臨ませた、前記洗浄槽内の空気を排気するための排気口を有する排気口形成部材とを備え、前記排気口形成部材は、前記洗浄槽に取り付けられるとともに、排気方向が異なる他の排気口形成部材と交換可能な構成としたものである。
【００１５】
また、本発明の食器洗い機は、枠体内に設けられ被洗浄物を収容する洗浄槽と、前記被洗浄物を洗浄水の噴射により洗浄する洗浄手段と、前記被洗浄物を加熱させるための加熱手段と、前記洗浄槽に空気を送る送風手段と、前記洗浄槽の上壁に設けられた排気通路と、前記洗浄槽の上壁に設けられ前記排気通路と連通する出口と、前記出口の近傍に設けられ前記枠体上面に設けた開口部から機外に臨ませた、前記洗浄槽内の空気を排気するための排気口を有する排気口形成部材とを備え、前記排気口形成部材は、左右一対設けた回転軸を前記洗浄槽に設けた軸受け部に係合させることにより、枠体の上面に設けた開口部の縁内に位置させた状態で、食器洗い機の前後方向に回転可能に構成したものである。
【００１６】
これにより、安価でかつ簡単な構造で洗浄槽の上部に集合した湿った暖かい空気を、洗浄槽外に効率よく排出できるとともに、吊り戸棚の結露対策として設置条件により排気方向を変更することが可能であり、外観性を損ねることがないとともに、従来と同じ乾燥性
能を保つことができるものである。
【発明の効果】
【００１７】
本発明の食器洗い機は、安価でかつ簡単な構造で洗浄槽の上部に集合した湿った暖かい空気を、洗浄槽外に効率よく排出できるとともに、吊り戸棚の結露対策として設置条件により排気方向を変更することが可能であり、外観性を損ねることなく、従来と同じ乾燥性能を保つことができるものである。
【図面の簡単な説明】
【００１８】
【図１】本発明の実施の形態１における食器洗い機の側断面図
【図２】同食器洗い機の排気口周辺の部分拡大断面図
【図３】同食器洗い機の排気口形成部材の斜視図
【図４】他の排気口形成部材を装着した場合の同食器洗い機の排気口周辺の部分拡大断面図
【図５】同食器洗い機の他の排気口形成部材の斜視図
【図６】本発明の実施の形態２における食器洗い機の排気口周辺の部分拡大断面図
【図７】本発明の実施の形態３における食器洗い機の洗浄槽と排気口形成部材の構成図
【図８】同食器洗い機の排気口周辺の部分拡大断面図
【図９】従来の食器洗い機の側断面図
【図１０】従来の食器洗い機の洗浄槽内を前面方向から見た模式図
【図１１】従来の食器洗い機の排気通路の正面断面図
【発明を実施するための形態】
【００１９】
第１の発明は、枠体内に設けられ被洗浄物を収容する洗浄槽と、前記被洗浄物を洗浄水の噴射により洗浄する洗浄手段と、前記被洗浄物を加熱させるための加熱手段と、前記洗浄槽に空気を送る送風手段と、前記洗浄槽の上壁に設けられた排気通路と、前記洗浄槽の上壁に設けられ前記排気通路と連通する出口と、前記出口の近傍に設けられ前記枠体上面に設けた開口部から機外に臨ませた、前記洗浄槽内の空気を排気するための排気口を有する排気口形成部材とを備え、前記排気口形成部材は、前記洗浄槽に取り付けられるとともに、排気方向が異なる他の排気口形成部材と交換可能な構成としたものであり、安価でかつ簡単な構造で洗浄槽の上部に集合した湿った暖かい空気を、洗浄槽外に効率よく排出できるとともに、吊り戸棚の結露対策として設置条件により排気方向を変更する部材に交換することが可能であり、外観性を損ねることがないとともに、従来と同じ乾燥性能を保つことができるものである。
【００２０】
第２の発明は、上記第１の発明において、洗浄槽の上壁に設けた出口の上方に排気口形成部材を取り付ける排気口形成部材支持部材を備え、前記排気口形成部材は、前記排気口形成部材支持部材の上部開口の縁内に配設したものであり、排気口の出口と排気口形成部材間のシール部材を不要とし、組立性も容易であり安価な構成にすることができるとともに、排気口形成部材の嵌合部分からの湿気が枠体内に侵入することがないので、洗浄槽外に排気することを可能とし、洗浄槽の外壁に配設した金属部品などの錆腐食を防ぐことができる。
【００２１】
第３の発明は、枠体内に設けられ被洗浄物を収容する洗浄槽と、前記被洗浄物を洗浄水の噴射により洗浄する洗浄手段と、前記被洗浄物を加熱させるための加熱手段と、前記洗浄槽に空気を送る送風手段と、前記洗浄槽の上壁に設けられた排気通路と、前記洗浄槽の上壁に設けられ前記排気通路と連通する出口と、前記出口の近傍に設けられ前記枠体上面に設けた開口部から機外に臨ませた、前記洗浄槽内の空気を排気するための排気口を有する排気口形成部材とを備え、前記排気口形成部材は、左右一対設けた回転軸を前記洗浄槽
に設けた軸受け部に係合させることにより、枠体の上面に設けた開口部の縁内に位置させた状態で、食器洗い機の前後方向に回転可能に構成したことにより、設置条件により使用者自身が排気方向を調整することが可能となり、別部品を用意する必要がなく、コストの削減、市場対応の削減を図ることができ、また、個々のキッチンスペースに適応した排気方向を選択することができる。
【００２２】
第４の発明は、上記第３の発明において、排気口形成部材の周囲をシールするシール部材を設けるとともに、洗浄槽は、軸受け部を設けた取着面の上端を枠体上面に設けた開口部より上方に突出させたことにより、排気口形成部材外周部と洗浄槽との間の隙間から蒸気が漏れるのを防止するとともに、万一蒸気が漏れたとしても、洗浄槽の外壁に配設した金属部品などの錆腐食を防ぐことができる。
【００２３】
以下、本発明の実施の形態について、図面を参照しながら説明する。なお、この実施の形態によって本発明が限定されるものではない。
【００２４】
（実施の形態１）
図１および図２に示すように、食器洗い機本体内に洗浄槽１を設け、洗浄槽１を覆うように枠体１０を設け、洗浄槽１内に食器類２を出し入れする開口部３を設け、この開口部３に、洗浄槽１の前面のほぼ最上部まで回動自在に開閉する扉体４を配設している。食器類２は洗浄槽１内に設けた食器かご６にセットしている。また、洗浄槽１内の底部には、洗浄水を噴射する洗浄ノズル５を回転自在に配設し、洗浄水と、送風手段８によって送風口９から送風される空気とを加熱するヒータ７を配設している。送風手段８は、洗浄槽１の外側底部に配設している。
【００２５】
洗浄槽１内の空気を排出する排気口形成部材Ａ１１は、食器洗い機本体の洗浄槽１の上部前面近傍に配設している。また、洗浄槽１に連通した送風手段８および排気通路１４に連通した排気口形成部材Ａ１１により排気を行うよう構成している。排気口形成部材Ａ１１と洗浄槽１とを連通する排気通路１４は、従来例と同様に、洗浄槽１の上面内側の壁面の一部を窪ませて凹部１４ａを形成し、その凹部１４ａに洗浄槽１の内面側よりフタ部材１５を取着することにより構成している。
【００２６】
排気通路１４は洗浄槽１の幅方向内寸に近い幅寸法を有して設けてあり、排気通路１４の出口１６は凹部１４ａを構成する洗浄槽１の上面の前部を略矩形に開口して排気口形成部材Ａ１１に連通するように設けてある。洗浄槽１の上面の出口１６の上方周囲には樹脂製の略矩形筒状に形成した排気口形成部材支持部材１８を固着してあり、この排気口形成部材支持部材１８の上端部は枠体１０に設けた開口部１０ａの下方に臨ませて配設してある。また、排気口形成部材支持部材１８の内方上部には、排気口形成部材Ａ１１を係止保持する係止部１８ａを設けてある。
【００２７】
なお、出口１６および排気口形成部材支持部材１８の形状寸法は略矩形に限られるものではなく、機外への排気能力に応じて適宜設計選択できる。また、排気口形成部材支持部材１８は洗浄槽１の上面を上方に折り曲げて洗浄槽１と一体形成してもよい。
【００２８】
排気口形成部材Ａ１１は、図２および図３に示すように、下方を開口した上面視略矩形の箱状に樹脂材料で形成し、上面に幅方向に複数個の排気口１１ａを配設してある。排気口形成部材Ａ１１の外周下端には爪部１１ｂが設けてあり、排気口形成部材Ａ１１を枠体１０の開口部１０ａに上方から挿入し下方に加圧することにより、爪部１１ｂが弾性変形し、排気口形成部材支持部材１８の係止部１８ａに係合され、排気口形成部材支持部材１８に係止保持される。これにより、排気口形成部材Ａ１１の排気口１１ａが出口１６を介して排気通路１４と連通される構成である。
【００２９】
また、排気口１１ａを設けた排気口形成部材Ａ１１の上面は、食器洗い機の前方に向かって下る方向に傾斜させてあり、排気口１１ａからの排気を食器洗い機のやや前方に傾けて排出するようにするとともに、排気口１１ａ近傍の排気口形成部材Ａ１１の上面に高温多湿の排気が結露した結露水を奥方向ではなく前方に導き、食器洗い機外面の手入れが容易になるようにしている。
【００３０】
一方、排気通路１４の入口１７は洗浄槽１の上面後方近傍で洗浄槽１内に下方に開口している。
【００３１】
上記のように構成した食器洗い機について、その動作、作用を説明する。まず、使用者が扉体４を開放し、洗浄槽１内に配置された食器かご６に汚れた食器類２をセットする。つぎに、扉体４を閉め、運転を開始すると、食器洗い機本体１の底部に配置されたヒータ７によって洗浄水が加熱され、その加熱された洗浄水が洗浄ノズル５から食器類２に向かって噴射され、食器類２の汚れを落とす洗浄行程が行なわれる。その後、食器類２をすすぐ、すすぎ行程を行う。
【００３２】
次に、送風手段８を駆動することによって、送風口９から乾いた空気を洗浄槽１内に圧送し、洗浄槽１内の湿った空気が排気口形成部材Ａ１１より洗浄槽１外に排出され、同時に、ヒータ７によって、空気を加熱し、食器類２の間を通り、食器類２に付着している水滴を蒸発させ、また食器類２を直接加熱する乾燥行程を行い、運転を終了する。
【００３３】
ここで、本発明の特徴である、排気口形成部材Ａ１１が排気方向の異なる他の排気口形成部材Ｂ２１と交換可能な構成であることについて、図４および図５を用いて説明する。
【００３４】
食器洗い機は、通常、キッチンのワークトップ上に載置して使用されるが、吊り戸棚の下面との間に高さスペースを充分に取れない場合がある。このような設置状態で食器洗い機から上方に向けて排気されると、高温多湿の蒸気が吊り戸棚の下面に結露し、結露水がワークトップ上に滴り落ちたり、長期間使用すると吊り戸棚を腐食させることがある。
【００３５】
このような設置状態に対しては、食器洗い機からの排気方向を前方に向けることが好ましい。このような課題に対応して、本発明では、排気口１１ａが上方を向いた排気口形成部材Ａ１１から排気口２１ａが前方を向いた排気口形成部材Ｂ２１に容易に交換可能な構成としている。
【００３６】
図２に示す排気口形成部材Ａ１１が取り付けられた状態から、排気口形成部材Ａ１１を上方に強く引っ張ると爪部１１ｂが弾性変形し、排気口形成部材支持部材１８の係止部１８ａとの係合が解除され、排気口形成部材Ａ１１が上方に取り外せる。その後、図５に示すような排気口形成部材Ｂ２１を装着することにより、排気口形成部材Ａ１１から排気口形成部材Ｂ２１への交換が完了し、排気方向を上方から前方に容易に変更することができる。
【００３７】
排気口形成部材Ｂ２１は、図５に示すように、下方を開口した上面視略矩形で断面が中空の略Ｌ字状の箱状に樹脂材料で形成し、前面に幅方向に複数個の排気口２１ａを配設してある。排気口形成部材Ｂ２１の外周下端には爪部２１ｂが設けてあり、排気口形成部材Ｂ２１を枠体１０の開口部１０ａに上方から挿入し下方に加圧することにより、爪部２１ｂが弾性変形し、排気口形成部材支持部材１８の係止部１８ａに係合され、排気口形成部材支持部材１８に係止保持される。これにより、排気口形成部材Ｂ２１の排気口２１ａが出口１６を介して排気通路１４と連通される。
【００３８】
なお、排気口形成部材および排気口の形状や位置は、排気口形成部材Ａ１１および排気口形成部材Ｂ２１のようなものに限定されるものではなく、例えば、ワークトップの後方部から屋外へ強力に排気する機能を備えたキッチンの場合には、排気口を後方に向けた他の排気口形成部材を準備しておき、これに交換することも可能である。
【００３９】
また、排気口形成部材の排気口形成部材支持部材への着脱可能な構成は、爪部と係止部との係合・解除による方式としたが、多少の手間が掛かるがビス止めによってもよい。
【００４０】
以上のように、本実施の形態によれば、排気通路１４が洗浄槽１内に取付けられているので、排気通路１４の洗浄槽１への取付け箇所のシール構成が仮に不十分で、その部分に洗浄ノズル５の噴射水が直接当っても、洗浄槽１外に漏れることはない。よって、洗浄槽１と排気通路１４の取付け部のシール構成を簡単にすることができる。
【００４１】
また、一般的に食器洗い機の洗浄槽１内の空気の流れは、流れの抵抗の少なく、圧力の低い方向に流れるので、洗浄槽１の内面の下部に設けた送風口９から洗浄槽１内に圧送された空気は、排気通路１４の入口１７を通じて排気口形成部材Ａ１１へと流れる流れとなる。そのため、暖かい空気は、軽く上方に集合するため、湿った空気の多くが洗浄槽１内の上部に集合し、排気口形成部材Ａ１１は洗浄槽１の上面に設けているため、排気口形成部材Ａ１１より湿気を多く含んだ空気は洗浄槽１外に排出される。
【００４２】
また、排気口形成部材Ａ１１は爪嵌合あるいはビス止めで固定して他の形態の排気口形成部材に容易に交換可能としているため、洗浄槽１の形成に関係なく排気口の向きを決定することができる。
【００４３】
以上より、安価でかつ簡単な構造で洗浄槽の上部に集合した湿った暖かい空気を、洗浄槽外に効率よく排出できるとともに、吊り戸棚の結露対策として設置条件により排気方向を変更する部材に交換することが可能であり、外観性を損ねることがないとともに、従来と同じ乾燥性能を保つことができるものである。
【００４４】
（実施の形態２）
本実施の形態は、排気口形成部材Ａ１１は、排気口形成部材支持部材１８の上部開口１８ｂの縁内に配設したものである。また、排気口形成部材支持部材１８の上端を枠体１０の開口部１０ａより上方に突出させてある。他の構成は上記実施の形態１と同じであり、詳細な説明は省略する。
【００４５】
図６に示すように、排気口形成部材Ａ１１は、排気口形成部材支持部材１８の上部開口１８ｂの縁内に配設したことにより、出口１６と排気口形成部材Ａ１１間のシール部材を不要とし、排気口形成部材Ａ１１の取付けは、爪嵌合あるいはビス止めで固定する構成とするため、組立性も容易であり安価な構成にすることができる。
【００４６】
また、排気口形成部材支持部材１８の上端を枠体１０の開口部１０ａより上方に突出させたことにより、排気口形成部材Ａ１１の嵌合部分からの湿気が排気口形成部材支持部材１８の上端と枠体１０の上面との間の隙間から枠体１０内に侵入することがないので、洗浄槽１の外壁に配設した金属部品などの錆腐食を防ぐことができる。
【００４７】
なお、排気口形成部材Ａ１１が排気方向の異なる他の排気口形成部材Ｂ２１と交換可能な構成であることは、上記実施の形態１と同じである。
【００４８】
（実施の形態３）
本実施の形態は、図７および図８に示すように、排気口形成部材Ｃ３１は、左右に洗浄
槽１と係合する一対の回転軸１９を備え、前記回転軸１９を前記洗浄槽１の上面に設けた左右一対の軸受け部２０に係合させて、回転可能に構成したものである。他の構成は上記実施の形態１、２と同じである。
【００４９】
排気口形成部材Ｃ３１は、排気口形成部材Ａ１１と同様に、下方を開口した上面視略矩形の箱状に樹脂材料で形成し、上面に幅方向に複数個の排気口３１ａを配設してある。そして、この排気口形成部材Ｃ３１の左右側面には回転軸１９がそれぞれ取り付けられている。排気口形成部材Ｃ３１の下部の周囲には軟質ゴム製のシール部材３２が取り付けてあり、排気口形成部材Ｃ３１がどのような回転位置にあっても排気口形成部材Ｃ３１外周部と洗浄槽１との間をシールして、両者の隙間から蒸気が漏れるのを防止している。
【００５０】
一方、洗浄槽１の上面には左右一対の取着面１ａを上方に向けて立設し、この左右一対の取着面１ａには、排気口形成部材Ｃ３１の左右の回転軸１９を回転可能に支持する軸受け部２０をそれぞれ設けてある。左右一対の取着面１ａは、上から見て枠体１０の上面に設けた開口部１０ａの縁内に位置するように設けてある。また、洗浄槽１の取着面１ａの上端を枠体１０の開口部１０ａより上方に突出させてある。
【００５１】
排気口形成部材Ｃ３１を枠体１０の開口部１０ａに上方から挿入し、取着面１ａの軸受け部２０に回転可能に係合することにより、排気口形成部材Ｃ３１の排気口３１ａが洗浄槽１の上面に設けた出口１６を介して排気通路１４と連通される構成である。
【００５２】
上記構成による食器洗い機の動作、作用について説明する。排気口形成部材Ｃ３１は、枠体１０の上面に設けた開口部１０ａの縁内に位置させ、前後方向に回転可能に構成したため、設置条件により使用者が排気方向を前後方向に無段階連続的に調整することが可能となり、一種類の排気口形成部材Ｃ３１で別部品を用意する必要なく排気方向を調整することができ、コストの削減、市場対応の削減を図ることができ、また、個々のキッチンスペースに適応した排気方向を選択することができる。
【００５３】
また、排気口形成部材Ｃ３１の下部の周囲に軟質ゴム製のシール部材３２を備えたことと、洗浄槽１の取着面１ａの上端を枠体１０の開口部１０ａより上方に突出させたこととの相乗効果により、排気口形成部材Ｃ３１外周部と洗浄槽１との間の隙間から蒸気が漏れるのを防止するとともに、万一蒸気が漏れたとしても、湿気が洗浄槽１の取着面１ａの上端と枠体１０の上面との間の隙間から枠体１０内に侵入することがないので、洗浄槽１の外壁に配設した金属部品などの錆腐食を防ぐことができる。
【産業上の利用可能性】
【００５４】
以上のように、本発明の食器洗い機は、安価でかつ簡単な構造で洗浄槽の上部に集合した湿った暖かい空気を、洗浄槽外に効率よく排出できるとともに、吊り戸棚の結露対策として設置条件により排気方向を変更することが可能であり、外観性を損ねることがないとともに、従来と同じ乾燥性能を保つことができるので、乾燥機能を備えた食器洗い機、特キッチンのワークトップ上に載置して使用される卓上型の食器洗い機等として有用である。
【符号の説明】
【００５５】
１  洗浄槽
１ａ  取着面
３  開口部
４  扉体
５  洗浄ノズル（洗浄手段）
７  ヒータ（加熱手段）
８  送風手段
９  送風口
１０  枠体
１０ａ  開口部
１１  排気口形成部材Ａ（排気口形成部材）
１１ａ  排気口
１１ｂ  爪部
１４  排気通路
１５  フタ部材
１６  出口
１７  入口
１８  排気口形成部材支持部材
１８ａ  係止部
１９  回転軸
２０  軸受け部
２１  排気口形成部材Ｂ（排気口形成部材）
２１ａ  排気口
２１ｂ  爪部
３１  排気口形成部材Ｃ（排気口形成部材）
３１ａ  排気口
３２  シール部材
【図１】
2010279583.tif 000003
【図２】
2010279583.tif 000004
【図３】
2010279583.tif 000005
【図４】
2010279583.tif 000006
【図５】
2010279583.tif 000007
【図６】
2010279583.tif 000008
【図７】
2010279583.tif 000009
【図８】
2010279583.tif 000010
【図９】
2010279583.tif 000011
【図１０】
2010279583.tif 000012
【図１１】
2010279583.tif 000013